(57)【要約】      （修正有）【課題】粘着テープの巻きほどけを防止し、簡単に剥離させる手段の提供。【解決手段】粘着テープを剥離するために指をかける切り目２をローラーを巻き込む方向にかつ軸方向の中央に設け、その先にローラーを引き出す方向にかつ軸方向外側に向けて広がるように左右対称にミシン目３をつけ、その先に左右端末近くまで切り目４を入れ、そのミシン目３および切り目２、４に沿って切り離すことにより、ローラーが１回転した時点で粘着テープの表面層がローラーから剥離することを特徴とする。さらにローラーの軸方向に軸芯１まで溝を切り、その溝に接着剤を流し込むことにより、上流側からローラーを引き出す方向とローラーの下流側から上流側に向けて設けることも可能にし、ローラーが１回転すると表面層が二手に分かれ、溝に沿って蝶の羽のようにローラーに付着し、その付着した表面層を粘着面を内側にして、手を汚さずに溝に沿って切り取ることを可能にする。【選択図】図３
2007330717.tif 000002
【特許請求の範囲】
【請求項１】
クリーナ用粘着式ローラーにおいて、粘着テープを剥離するために指をかける切り目をローラーを巻き込む方向即ち上流側にかつ軸方向の中央に設け、その先にローラーを引き出す方向即ち下流側に向ってかつローラーの軸方向外側に向けて広がるように左右対称にミシン目をつけ、その先にローラーの左右端末近くまで切り目を入れ、そのミシン目および切り目に沿って切り離すことにより、ローラーが１回転した時点で粘着テープの表面層がローラーから剥離することを特徴とするクリーナ用粘着式ローラー
【請求項２】
請求項１に記載のクリーナ用粘着式ローラーにおいて、ローラーの軸方向にローラーの軸芯まで溝を切り、その溝に接着剤を流し込むこと及び粘着テープを剥離するために指をかける切り目、ミシン目及びローラーの左右端末近くまで入れた切り目の方向をローラーを巻き込む方向即ち上流側からローラーを引き出す方向即ち下流側へ向けて設けることに限らず、逆にローラーの下流側から上流側に向けて設けることも可能にするとともに、そのミシン目および切り目に沿って切り離すことにより、ローラーが１回転した時点で粘着テープの表面層が二手に分かれて、溝に流し込んだ接着剤に沿って蝶の羽のようにローラーに付着し、その付着した表面層を粘着面を内側にして、手を汚さずに溝に流し込んだ接着剤に沿って切り取ることを特徴とするクリーナ用粘着式ローラー
【発明の詳細な説明】
【技術分野】
【０００１】  この発明はクリーナ用粘着式ローラーにおいて、粘着テープの巻きほどけの防止及び使用後に粘着テープを簡単に剥離させるための技術に関するものである。
【背景技術】
【０００２】  従来この種のクリーナ用粘着式ローラーにおいては、トイレットペーパーと同じ巻きつけ方式が主体であることから、フローリングなどに使用した場合に、最初の回転方向を間違えて粘着テープが解ける方向にローラーを回転させると、その粘着力による粘着テープの巻きほどけが避けられない状況にある。また、使用後に粘着テープをはがそうとしても、粘着力により粘着テープを簡単に剥離させることが困難な状況が散見される。
【発明の開示】
【発明が解決しようとする課題】
【０００３】  今日の技術では、安価に製造する観点から、トイレットペーパーと同じ巻きつけ方式が主体であることから、粘着テープの巻きほどけ及び使用後の粘着テープを簡単に剥離させることが困難な状況が多発しているため、取り扱いが悪く使用者がいらいらする場合が多い。
この取り扱いを良くするために、粘着テープの巻きほどけを防止し、かつ使用後には粘着テープを簡単に剥離させる手段を講じる必要がある。
【課題を解決するための手段】
【０００４】  本発明は、上記の課題を解決するために考案したもので、粘着テープを剥離するために指をかける切り目をローラーを巻き込む方向即ち上流側にかつ軸方向の中央に設け、その先にローラーを引き出す方向即ち下流側に向ってかつローラーの軸方向外側に向けて広がるように左右対称にミシン目をつけ、その先にローラーの左右端末近くまで切り目を入れたものである。【０００５】また、ローラーの軸方向にローラーの軸芯まで溝を切り、その溝に接着剤を流し込むこと及び粘着テープを剥離するために指をかける切り目、ミシン目及びローラーの左右端末近くまで入れた切り目の方向をローラーを巻き込む方向即ち上流側からローラーを引き出す方向即ち下流側へ向けて設けることに限らず、逆にローラーの下流側から上流側に向けて設けることも可能にするとともに、そのミシン目および切り目に沿って切り離すことにより、ローラーが１回転した時点で粘着テープの表面層が二手に分かれて、溝に流し込んだ接着剤に沿って蝶の羽のようにローラーに付着し、その付着した表面層を粘着面を内側にして、手を汚さずに溝に流し込んだ接着剤に沿って切り取ることができるようにしたものである。
【発明の効果】
【０００６】  本発明により、粘着テープの巻きほどけを防止し、かつ使用後には粘着テープを簡単に剥離させる手段を講じることにより、取り扱いをよりよいものにして使用者のいらつきをなくし、粘着式ローラークリーナを使って掃除を楽しいものにすることができる。
また、従来のトイレットペーパーと同じ巻きつけ方式のクリーナ用粘着式ローラーに外側からプレス等で溝、ミシン目及び切り目を入れることができることから、製造が容易である。
【発明を実施するための最良の形態】
【０００７】  以下、本発明のクリーナ用粘着式ローラーの最良の形態について、図面を参照して説明する。
【実施例１】
【０００８】  図１は、粘着テープを剥離するために指をかける切り目をローラーを巻き込む方向即ち上流側にかつ軸方向の中央に設け、その先にローラーを引き出す方向即ち下流側に向ってかつローラーの軸方向外側に向けて広がるように左右対称にミシン目をつけ、その先にローラーの左右端末近くまで切り目を入れた実施例を示すもので、１は粘着式ローラークリーナーの軸芯、２は粘着テープを剥離するために指をかける切り目、３はミシン目、４はローラーの左右端末近くまで入れた切り目を示す。【０００９】  図２は、図１に示すクリーナ用粘着式ローラーを巻きだした場合の展開図を示すもので、２は粘着テープを剥離するために指をかける切り目、３はミシン目、４はローラーの左右端末近くまで入れた切り目を示す。
この場合は、トイレットペーパーと同じ巻きつけ方式が主体であることから、フローリングなどに使用した場合に、最初の回転方向を間違えて粘着テープが解ける方向にローラーを回転させると、その粘着力による粘着テープの巻きほどけが避けられないが、使用後には粘着テープを簡単に剥離させることができる。【００１０】  図３は、従来のトイレットペーパーと同じ巻きつけ方式のクリーナ用粘着式ローラーの軸方向にローラーの軸芯まで溝を切り、その溝に接着剤を流し込むこと及び図１に示すように粘着テープを剥離するために指をかける切り目、ミシン目及びローラーの左右端末近くまで入れた切り目の方向をローラーを巻き込む方向即ち上流側からローラーを引き出す方向即ち下流側へ向けて設けることに限らず、逆にローラーの下流側から上流側に向けて設けることも可能にする実施例を示すもので、１は粘着式ローラークリーナーの軸芯、２は粘着テープを剥離するために指をかける切り目、３はミシン目、４はローラーの左右端末近くまで入れた切り目、５は軸芯まで溝を切った跡に接着剤を流し込んだ部分を示す。【００１１】  図４は、クリーナ用粘着式ローラーを治具で固定して軸芯まで溝を切った状態を示すもので、６は治具、７は溝を示す。この溝の両端を塞いだ状態で、この溝の中に接着剤を流し込んで固めることにより、ローラーの各層の垂直方向に接着壁面ができ、粘着テープの巻きほどけを防止することができる。【００１２】  図５は、図３に示すクリーナ用粘着式ローラーを巻きだした場合の展開図を示すもので、２は粘着テープを剥離するために指をかける切り目、３はミシン目、４はローラーの左右端末近くまで入れた切り目、５は軸芯まで溝を切った跡に接着剤を流し込んだ部分を示し、８は粘着テープを剥離するために指をかける切り目２、ミシン目３及びローラーの左右端末近くまで入れた切り目４に沿って切り離すことにより、ローラーが１回転した時点で粘着テープの表面層が二手に分かれる部分の一方であり、９は粘着テープの表面層が二手に分かれる部分の他方である。【００１３】  図６は、図３の粘着テープを剥離するために指をかける切り目２、ミシン目３及びローラーの左右端末近くまで入れた切り目４に沿って切り離すことにより、ローラーが１回転した時点で粘着テープの表面層が二手に分かれて、溝に流し込んだ接着剤に沿って蝶の羽のようにローラーに付着した状態を示すもので、５は軸芯まで溝を切った跡に接着剤を流し込んだ部分、８は粘着テープを剥離するために指をかける切り目２、ミシン目３及びローラーの左右端末近くまで入れた切り目４に沿って切り離すことにより、ローラーが１回転した時点で粘着テープの表面層が二手に分かれる部分の一方であり、９は粘着テープの表面層が二手に分かれる部分の他方である。１０は粘着テープの次層面である。８及び９の表面にはゴミや埃が付着している。【００１４】  図７は、図６と同じく、粘着テープの表面層が二手に分かれて、溝に流し込んだ接着剤に沿って蝶の羽のようにローラーに付着した状態を示すものであるが、軸芯まで溝を切った跡に接着剤を流し込んだ部分５に沿って８と９を切り離すために、８と９の汚れた表面を内側にして摘んだ状態を示すものである。８及び９の��面はロー付けコーティング面となっているため手が汚れずに８及び９をローラーから切り離すことができる。
【産業上の利用可能性】
【００１５】  今日では、粘着式ローラークリーナは、主としてカーペットやフローリングのゴミを取るために事務所や家庭内等広い範囲にわたって使用されており、今後とも電気掃除機と併用して使用されることが見込まれる。
電気掃除機の場合、送風によりチリやほこりを舞い上げてしまうため、掃除をした後に宙に舞い上がったチリやほこりが再び床に落ち、汚れが取れていない状況が発生する。
粘着式ローラークリーナの場合は、チリやほこりを舞い上げることなく除去するため、はじめに粘着式ローラークリーナを使用してほとんどのゴミや誇りを除いた後に、電気掃除機で粘着式ローラークリーナではとりにくい隅々のゴミやほこりを取り除くのが最も効果的であるとの評価がある。
ところが、従来の粘着式ローラークリーナの使用に当たって、粘着テープの巻きほどけ及び使用後の粘着テープを簡単に剥離させることが困難な状況が多発しているため、取り扱いが悪く、使用者がいらいらする場合が多い。
この取り扱いを良くするために、粘着テープの巻きほどけを防止し、かつ使用後には粘着テープを簡単に剥離させる手段を講じる必要がある。
本発明は、この手段を提供するもので、顧客満足度が高まることから、市場の要求が高まることが予想されるため、産業上の利用可能性が極めて高いものである。
【図面の簡単な説明】
【００１６】
【図１】  従来のトイレットペーパーと同じ巻きつけ方式のクリーナ用粘着式ローラーにおいて、粘着テープを剥離するために指をかける切り目をローラーを巻き込む方向即ち上流側にかつ軸方向の中央に設け、その先にローラーを引き出す方向即ち下流側に向ってかつローラーの軸方向外側に向けて広がるように左右対称にミシン目をつけ、その先にローラーの左右端末近くまで切り目を入れた実施例を示すものである。
【図２】  図１のクリーナ用粘着式ローラーを巻きだした場合の展開図を示すものである。
【図３】  従来のトイレットペーパーと同じ巻きつけ方式のクリーナ用粘着式ローラーの軸芯まで溝を切った跡に接着剤を流し込み、粘着テープを剥離するために指をかける切り目を粘着テープ表面のローラーの軸方向の中央に設け、その先にローラーの回転方向に向って徐々にローラーの軸方向外側に向けて広がるように左右対称にミシン目をつけ、その先にローラーの左右端末近くまで切り目を入れた実施例を示すものである。
【図４】  クリーナ用粘着式ローラーを治具で固定して軸芯まで溝を切った状態を示すものである。
【図５】  図３のクリーナ用粘着式ローラーを巻きだした場合の展開図を示すものである。
【図６】  図３の粘着テープを剥離するために指をかける切り目２、ミシン目３及びローラーの左右端末近くまで入れた切り目４に沿って切り離すことにより、ローラーが１回転した時点で粘着テープの表面層が二手に分かれて、溝に流し込んだ接着剤に沿って蝶の羽のようにローラーに付着した状態を示すものである。
【図７】  図６と同じく、粘着テープの表面層が二手に分かれて、溝に流し込んだ接着剤に沿って蝶の羽のようにローラーに付着した状態で、軸芯まで溝を切った跡に接着剤を流し込んだ部分５に沿って８と９を切り離すために、８と９の汚れた表面を内側にして摘んだ状態を示すものである。
【符号の説明】
【００１７】  １；粘着式ローラークリーナーの軸芯
２；粘着テープを剥離するために指をかける切り目
３；ミシン目
４；ローラーの左右端末近くまで入れた切り目
５；軸芯まで溝を切った跡に接着剤を流し込んだ部分
６；治具
７；溝
８；粘着テープの表面層が二手に分かれる部分の一方
９；粘着テープの表面層が二手に分かれる部分の他方
１０；粘着テープの次層面
【図１】
2007330717.tif 000003
【図２】
2007330717.tif 000004
【図３】
2007330717.tif 000005
【図４】
2007330717.tif 000006
【図５】
2007330717.tif 000007
【図６】
2007330717.tif 000008
【図７】
2007330717.tif 000009
【手続補正書】
【提出日】平成18年6月20日(2006.6.20)
【手続補正１】
【補正対象書類名】図面
【補正対象項目名】図２
【補正方法】変更
【補正の内容】
【図２】
2007330717.tif 000010
【手続補正２】
【補正対象書類名】図面
【補正対象項目名】図５
【補正方法】変更
【補正の内容】
【図５】
2007330717.tif 000011